(57)【要約】      （修正有）【課題】胴縁の長さを２本の柱間の長さに合わせるための切断作業を容易に行うことができ、切断位置で正確に切断できる丸鋸の提供、胴縁を柱間の長さに合わせて丸鋸で切断する作業を円滑且つ容易に行うことができる丸鋸用胴縁固定具を提供する。又丸鋸を安定して且つ正確に案内して容易に直線状に切断できる丸鋸用定規を提供する。【解決手段】本発明の丸鋸１は、台座部２の下面に脱着自在に固定される平板状のベース部１３と、ベース側鋸刃挿通孔１５と、ベース部１３の下面に固設された前面側柱当接部１６と、前面側柱当接部１６に直交して固設された側面側柱当接部１７と、を備えた構成を有する。本発明の丸鋸用定規５１は、定規固定板５２と、丸鋸摺動直状凸部５７を有する定規本体５４と、を備えた構成を有する。【選択図】図１
2005186544.tif 000002
【特許請求の範囲】
【請求項１】
平板状の台座部と、
前記台座部に穿設された鋸刃挿通孔と、
前記鋸刃挿通孔の前後部で前記台座部に軸着された上部安全カバー部と、
前記上部安全カバー部の側部に配設固定されたモータ部と、
前記モータ部の駆動軸に固定され上部側が前記上部安全カバー部の内部に配設され下部側が前記鋸刃挿通孔に挿通された円形の鋸刃と、
前記モータ部の上部に形設されたハンドル部と、
を備えた丸鋸であって、
前記台座部の下面にベース固定手段により脱着自在に固定される平板状のベース部と、
前記ベース部に前記鋸刃挿通孔に連通して穿設されたベース側鋸刃挿通孔と、
前記ベース部の下面の前記ベース側鋸刃挿通孔の側部に固設された前面側柱当接部と、
前記ベース側鋸刃挿通孔の後部に前記前面側柱当接部に直交して固設された側面側柱当接部と、
を備えていることを特徴とする丸鋸。
【請求項２】
前記鋸刃の切り込み角度を可変し所定角度で固定する切り込み角度調節部を備え、
前記切り込み角度調節部が、
前記上部安全カバー部の前端部に固定された可動部と、
前記台座部の前端部に立設され前記可動部の前部に配設された角度調節板と、
前記角度調節板に穿設された円弧状のスライド孔部と、
前記スライド孔部に摺動自在に挿通されると共に前記可動部に螺着され前記角度調節板と前記可動部を締め付け固定する角度固定ネジと、
を備えていることを特徴とする請求項１に記載の丸鋸。
【請求項３】
前記前面側柱当接部の厚みが胴縁等の被切断部材の厚みより大きく形成されていることを特徴とする請求項１又は２に記載の丸鋸。
【請求項４】
前記鋸刃の下部に覆設され前記鋸刃の周囲に回動自在に配設された下部安全カバー部と、
前記下部安全カバー部の前記前面側柱当接部側の側部に突設されたカバー回動用レール部と、
前記前面側柱当接部の下面に沿って配設され前記前面側柱当接部の後端部で回動自在に固定された回動板と、
前記回動板と前記前面側柱当接部の間に挿設された弾性部材と、
前記回動板の先端部に配設され前記回動板の回動により前記カバー回動用レール部を押圧し前記下部安全カバー部を回動させる摺動車部と、
を備えたことを特徴とする請求項１乃至３の内いずれか１項に記載の丸鋸。
【請求項５】
前記ベース部を前記台座部に対して位置決めするための位置決め手段を備え、
前記位置決め手段が、
前記台座部の下面に形成された前記鋸刃に平行の直線状凹部と、
前記ベース部の上面に形成され前記直線状凹部に嵌合する位置決め凸部と、
を備えていることを特徴とする請求項１乃至４の内いずれか１項に記載の丸鋸。
【請求項６】
２本の柱間に架設される胴縁を前記２本の柱間の長さで切断するための丸鋸用胴縁固定具であって、
一方の前記柱の側部に脱着自在に固定される柱固定部と、
前記柱固定部に一端部が固設された棒状の柱側支持部と、
前記柱側支持部の他端部に接続板を介して所定角度で連設された胴縁側支持部と、
を備えたことを特徴とする丸鋸用胴縁固定具。
【請求項７】
前記胴縁側支持部の上部に配設された握り手保持部を備えていることを特徴とする請求項６に記載の丸鋸用胴縁固定具。
【請求項８】
コンクリートパネル等の板状被切断部材を直線状に切断するための丸鋸用定規であって、前記板状被切断部材の上面に固定される定規固定板と、前記定規固定板の一側部に形成された定規スライド嵌合部と、前記定規スライド嵌合部に沿って摺動自在に配設された定規本体と、を備え、前記定規本体が、
前記定規本体の一方の側部に形成され前記定規スライド嵌合部に摺動自在に嵌合する本体側被嵌合部と、
前記定規本体の他方の側部に形成され請求項５に記載の丸鋸の前記直線状凹部が摺動自在に嵌合する丸鋸摺動直線状凸部と、
を備えていることを特徴とする丸鋸用定規。
【請求項９】
前記定規固定板の前記定規本体側の側部に一端部がヒンジ部により水平方向に回動自在に固定された位置決め部材を備えていることを特徴とする請求項８に記載の丸鋸用定規。
【請求項１０】
前記定規固定板を前記板状被切断部材に軽子等の止着部材で止着するために前記定規固定板に穿設された２以上の止着孔を備えていることを特徴とする請求項８又は９に記載の丸鋸用定規。
【発明の詳細な説明】
【技術分野】
【０００１】
本発明は、円形の鋸刃をモータで回転させて被切断部材を切断する丸鋸、及び丸鋸により胴縁等の被切断部材を切断するために丸鋸と共に用いられる丸鋸用胴縁固定具、並びに丸鋸によりコンクリートパネル等の板状被切断部材を切断するための丸鋸用定規に関するものである。
【背景技術】
【０００２】
従来、円形の鋸刃をモータで回転させて胴縁やコンクリートパネル等の被切断部材を切断する丸鋸が用いられている。このような丸鋸は、一般的に、長孔状の鋸刃挿通孔を有する平板状の台座部を備え、円形の鋸刃は、その下部側が鋸刃挿通孔に挿通して台座部の下面側に突出するように配設されている。これにより切断作業時には、台座部の下面を被切断部材に当接させ、丸鋸を被切断部材に沿って滑らせながら、鋸刃により被切断部材を切断している。
【０００３】
ところで、家屋等の建築物においては、壁の羽目板等を取り付けるための下地材として胴縁が用いられている。胴縁は柱に平行に取り付ける場合と柱に直交してすなわち水平に取り付ける場合とがある。胴縁を水平に取り付ける場合、通常胴縁は立設された２本の柱間に架設されるので、その柱間に正確におさまるように、胴縁の長さを柱間の長さと同じになるよう切断する必要がある。なお、胴縁は通常、建築物の建築現場において切断される。
以下、従来の胴縁の切断方法について図面を用いて説明する。
図１０（ａ）は従来の胴縁の切断方法を示す要部正面図であり、図１０（ｂ）は従来の胴縁の切断方法を示す要部平面図である。
図１０において、１００，１０１は立設された２本の柱、１０２は胴縁、１０２ａは胴縁１０２の一端部、１０３は作業者の左手、１０４は作業者の右手、１０５は作業者の右手に把持された切断工具である手引き鋸である。
図１０に示すように、作業者は左手１０３で胴縁１０２を把持し胴縁１０２の一端部１０２ａを柱１００の側部に押し当てる。一端部１０２ａを柱１００に強く押し当てることで一端部１０２ａが柱１００に対して滑らないようにし、胴縁１０２が水平となるように保持する。次に、胴縁１０２の他端部側の所定部分を柱１０１の前面側に当接させ、右手１０４に把持した手引き鋸１０５で柱１０１の柱１００側の側面に沿って胴縁１０２を切断する。このとき、図１０（ｂ）に示すように、胴縁１０２の切断面が柱１０１の側面に対して傾斜するように斜めに切断して、胴縁１０２を柱１００，１０１間に挟ませて固定できるようにすることもある。
このようにして、胴縁１０２を２本の柱１００，１０１間の長さと同じとなるように切断している。なお、用いられる切断工具としては、手引き鋸１０５だけでなく、上述したような丸鋸を用いることもできる。
【０００４】
また、上述したような丸鋸を用いてコンクリートパネル等の板状被切断部材を直線状に切断するために、丸鋸用定規が用いられている。特許文献１には、コーナー固定用添板と、このコーナー固定用添板に対して任意の角度に保持固定し得る端部直線状長手案内板と、を備え、端部直線状長手案内板の上面長手方向に丸鋸の台座部を案内する案内突起片を突設し、且つこの案内突起片から一定距離に丸鋸切断刃を案内する直線状端辺を有する丸鋸案内板を直線状長手案内板と一体的に形成した丸鋸案内定規が開示されている。
【０００５】
【特許文献１】特開平９−１６９００２号公報
【発明の開示】
【発明が解決しようとする課題】
【０００６】
しかしながら、上記従来の技術では以下のような課題を有していた。
（１）従来の胴縁の切断方法では、作業者の経験により胴縁の切断位置やその切断面の傾き等を決めているので、切断位置がずれたり意図した傾斜の切断面で切断できなかったりして寸法誤差を生じ、特に長さが短く使いものにならないのが多く作業性、施工性に欠けるという課題を有していた。
（２）また、従来の胴縁の切断方法において丸鋸を用いた場合、重量のある丸鋸を右手で支えながら切断するため作業性に欠け、熟練者であっても正確に切断し難く、また、鋸刃で柱や作業者自身を傷つけたりし易く安全性に欠けるという課題を有していた。
（３）また、胴縁を左手で把持し一端部を柱に強く押し当てながら右手で切断作業を行うため、切断中に胴縁の一端部が柱から外れたり胴縁が水平でなくなったりし易かった。このため、胴縁の一端部を柱に押し当てて水平に保持するための胴縁固定具の開発が強く望まれている。
（４）特許文献１に記載の丸鋸案内定規では、丸鋸の台座部を案内突起片に当接させ、丸鋸切断刃を直線状端辺に当接させ案内しているだけなので、丸鋸切断刃が意図した切断線から逸れ易く、正確に直線状に切断し難いという課題を有していた。
（５）また、丸鋸案内定規のコーナー固定用添板が板状被切断部材のコーナーに添って固定されるため、コーナー付近を切断することはできるが、コーナーから離れた位置、例えば板状被切断部材の中央部近傍等を切断する場合は丸鋸案内板を長尺に形成するか、或いは別の定規等を用いる必要があり、使用性に欠けるという課題を有していた。
【０００７】
本発明は上記従来の課題を解決するもので、胴縁の長さを２本の柱間の長さに合わせるための切断作業を容易に行うことができ、且つ、切断位置で正確に切断でき切断面に所望の傾斜をつけることができると共に、丸鋸用定規に沿ってずれることなく摺動させ板状被切断部材を容易に直線状に切断することができる丸鋸を提供することを目的とする。
本発明は上記従来の課題を解決するもので、胴縁を２本の柱間で確実に保持することができ、胴縁を柱間の長さに合わせて丸鋸で切断する作業を円滑且つ容易に行うことができる丸鋸用胴縁固定具を提供することを目的とする。
本発明は上記従来の課題を解決するもので、丸鋸を安定して且つ正確に案内することができ、板状被切断部材を容易に直線状に切断することができると共に、板状被切断部材の端部から離れた中央部近傍でも簡単且つ正確に切断できる丸鋸用定規を提供することを目的とする。
【課題を解決するための手段】
【０００８】
上記課題を解決するために本発明の丸鋸は、以下の構成を有している。
本発明の請求項１に記載の丸鋸は、平板状の台座部と、前記台座部に穿設された鋸刃挿通孔と、前記鋸刃挿通孔の前後部で前記台座部に軸着された上部安全カバー部と、前記上部安全カバー部の側部に配設固定されたモータ部と、前記モータ部の駆動軸に固定され上部側が前記上部安全カバー部の内部に配設され下部側が前記鋸刃挿通孔に挿通された円形の鋸刃と、前記モータ部の上部に形設されたハンドル部と、を備えた丸鋸であって、前記台座部の下面にベース固定手段により脱着自在に固定される平板状のベース部と、前記ベース部に前記鋸刃挿通孔に連通して穿設されたベース側鋸刃挿通孔と、前記ベース部の下面の前記ベース側鋸刃挿通孔の側部に固設された前面側柱当接部と、前記ベース側鋸刃挿通孔の後部に前記前面側柱当接部に直交して固設された側面側柱当接部と、を備えた構成を有している。
【０００９】
以上のように構成された丸鋸について、以下その使用方法を説明する。
（１）胴縁を２本の柱間の距離と同じか僅かに長い長さに調節するために切断する場合は、まず、胴縁の一端部を一方の柱の側面に押し当て、胴縁の他端部側の側面を他方の柱の手前側の側面すなわち前面に当接させる。次に、他方の柱の胴縁を当接させた部分より下方の角部において、柱の前面に丸鋸の前面側柱当接部を当接させ、柱の側面に側面側柱当接部を当接させる。続いて、モータ部を駆動し鋸刃を回転させ、前面側柱当接部及び側面側柱当接部を柱に当接させたまま、ハンドル部を把持して丸鋸を柱に沿って上方へ摺動させ、回転する鋸刃により胴縁を切断する。これにより、胴縁の長さを２本の柱間の距離と同じか僅かに長い長さに調節することができる。切断された胴縁はその長さが２本の柱間の距離と同じか僅かに長いので、胴縁の両端部は各々の柱の側面に圧接され、胴縁は２本の柱間に横架される。
（２）胴縁以外の例えばコンクリートパネル等の被切断部材を切断する場合は、台座部からベース部を取り外し、台座部の下面を被切断部材に当接させ、モータ部を駆動し鋸刃を回転させ、ハンドル部を把持して丸鋸を被切断部材上で移動させ、回転する鋸刃により被切断部材を切断する。これにより種々の被切断部材を切断することができる。
【００１０】
以上のように本発明の請求項１に記載の丸鋸は構成されているので、以下のような作用を有する。
（１）ベース部が台座部の下面に脱着自在に固定されているので、胴縁を切断する場合はベース固定手段によりベース部を台座部に取り付け、胴縁以外の被切断部材を切断する場合はベース部を台座部より取り外すことで、種々の被切断部材の切断に使用することができる。
（２）ベース部を台座部に取り付けた場合に、ベース側鋸刃挿通孔が台座部の鋸刃挿通孔に連通するように形成されているので、鋸刃の下部側は台座部の鋸刃挿通孔とベース部のベース側鋸刃挿通孔に連挿されベース部の下面側に突出する。これにより、ベース部の下面側で胴縁を切断することができる。
（３）ベース部の下面のベース側鋸刃挿通孔の側部に固設された前面側柱当接部と、ベース側鋸刃挿通孔の後部に前面側柱当接部に直交して固設された側面側柱当接部と、を備えているので、前面側柱当接部及び側面側柱当接部を柱の角部の前面及び側面に当接させたまま丸鋸を柱に沿って上下に摺動させることで、丸鋸がぶれたりせず安定して摺動させることができ、鋸刃が摺動方向に対して傾くことがないので正確且つ円滑に切断作業を行うことができる。また、丸鋸を安定して摺動させることができるので、一方の手で胴縁を２本の柱間に水平に保持しながら、他方の手のみでハンドル部を把持し丸鋸を操作して胴縁の切断作業を熟練を要さず一人で安全に行うことができる。
（４）前面側柱当接部を所定の厚みを有して形成することにより、前面側柱当接部を柱の前面に当接させた際に、ベース部の下面と柱の前面の間に前面側柱当接部の厚みだけ間隙を形成することができ、丸鋸を柱に沿って摺動させこの間隙に胴縁が挿入されることにより、胴縁をこの間隙内で回転する鋸刃により切断することができる。
（５）側面側柱当接部が前面側柱当接部に対して直交してベース部に固設されているので、柱の角部に前面側柱当接部と側面側柱当接部を隙間なく当接させることができ、丸鋸がぶれることなく安定性に優れる。
（６）側面側柱当接部の柱当接面が鋸刃と略同一平面上となるような位置に側面側柱当接部を設けることにより、胴縁を２本の柱間の距離と略同じ長さに切断することができる。また、側面側柱当接部の柱当接面が鋸刃より僅かに前面側柱当接部に近くなるような位置に側面側柱当接部を設けることにより、胴縁を２本の柱間の距離より僅かに長く切断することができ、これにより、胴縁を柱間に押し込んで柱間に横架させ強固に固定することができる。
（７）鋸刃挿通孔の前後部で台座部に軸着された上部安全カバー部と、上部安全カバー部の側部に配設固定されたモータ部と、モータ部の駆動軸に固定され上部側が前記上部安全カバー部の内部に配設され下部側が鋸刃挿通孔に挿通された円形の鋸刃と、を備えているので、上部安全カバー部を台座部に対して回動させ、モータ部及び鋸刃の台座部に対する角度を可変でき、鋸刃の切り込み角度を調節することができる。鋸刃の切り込み角度を調節することにより、胴縁の切断面に所定角度の傾斜をつけることができ、胴縁が柱間の距離より僅かに長い場合であっても胴縁を柱間に容易に且つ強固に横架させることができる。
（８）鋸刃の上部側が上部安全カバー部の内部に配設されているので、鋸刃が作業者側に露出せず安全性に優れる。
【００１１】
ここで、ベース部を台座部の下面に脱着自在に固定するベース固定手段としては、ベース部と台座部に連通したネジ孔に螺着される蝶ネジ等の螺着固定手段や、蟻溝と蟻等の嵌合固定手段を用いることができる。また、鋸刃挿通孔とベース側鋸刃挿通孔が連通するようにベース部を台座部の下面に正確に位置決めして固定するための位置決め手段としては、ベース部の上面と台座部下面に形成された凹部と凸部等を用いることができる。
【００１２】
本発明の請求項２に記載の丸鋸は、請求項１に記載の発明において、前記鋸刃の切り込み角度を可変し所定角度で固定する切り込み角度調節部を備え、前記切り込み角度調節部が、前記上部安全カバー部の前端部に固定された可動部と、前記台座部の前端部に立設され前記可動部の前部に配設された角度調節板と、前記角度調節板に穿設された円弧状のスライド孔部と、前記スライド孔部に摺動自在に挿通されると共に前記可動部に螺着され前記角度調節板と前記可動部を締め付け固定する角度固定ネジと、を備えた構成を有している。
【００１３】
この構成により、請求項１の作用に加え、以下のような作用を有する。
（１）上部安全カバー部を台座部に対して回動させ、モータ部及び鋸刃の台座部に対する角度を可変でき、鋸刃の切り込み角度を調節することができると共に、鋸刃の切り込み角度を可変した後、角度固定ネジをスライド孔部に挿通し可動部に螺着し、角度調節板と可動部を締め付け固定することにより、上部安全カバー部及びモータ部を台座部に対して固定することで、鋸刃を所望の切り込み角度で固定することができる。
【００１４】
ここで、鋸刃の切り込み角度としては、胴縁を切断する場合は、鋸刃が柱の側面に対して０°から６°〜７°の範囲で角度調節可能にすることが好ましい。これにより、胴縁を切断した切断面に０°〜７°の傾斜面を形成することができ、胴縁を柱間に容易に差し込むことができると共に、柱間で強固に固定することができる。
スライド孔部は、鋸刃の切り込み角度を上述のように可変できるような中心角を有する円弧状に形成される。なお、鋸刃の切り込み角度が目視して設定できるように、可動部又は上部安全カバー部に一体形成され角度調節板に沿設された目盛り板を設けることもできる。目盛り板は角度目盛りが付され、角度調節板の側辺等に一致する角度目盛りが鋸刃の切り込み角度を表すように形成されている。目盛り板を設けた場合は、鋸刃の切り込み角度を角度目盛りを目視しながら調節し、正確に所望の角度に調節することができる。
【００１５】
本発明の請求項３に記載の丸鋸は、請求項１又は２に記載の発明において、前記前面側柱当接部の厚みが胴縁等の被切断部材の厚みより大きく形成された構成を有している。
【００１６】
この構成により、請求項１又は２の作用に加え、以下のような作用を有する。
（１）前面側柱当接部の厚みが胴縁等の被切断部材の厚みより大きく形成されているので、前面側柱当接部を柱の前面に当接させた際に、ベース部の下面と柱の前面の間に前面側柱当接部の厚み、すなわち胴縁等の被切断部材の厚みより大きい間隙を形成することができ、丸鋸を柱に沿って摺動させた際に、この間隙に胴縁が確実に挿入され、胴縁をこの間隙内で回転する鋸刃により切断することができる。
【００１７】
本発明の請求項４に記載の丸鋸は、請求項１乃至３の内いずれか１項に記載の発明において、前記鋸刃の下部に覆設され前記鋸刃の周囲に回動自在に配設された下部安全カバー部と、前記下部安全カバー部の前記前面側柱当接部側の側部に突設されたカバー回動用レール部と、前記前面側柱当接部の下面に沿って配設され前記前面側柱当接部の後端部で回動自在に固定された回動板と、前記回動板と前記前面側柱当接部の間に挿設された弾性部材と、前記回動板の先端部に配設され前記回動板の回動により前記カバー回動用レール部を押圧し前記下部安全カバー部を回動させる摺動車部と、を備えた構成を有している。
【００１８】
この構成により、請求項１乃至３の内いずれか１項の作用に加え、以下のような作用を有する。
（１）前面側柱当接部の下面の沿って配設された回動板を備えているので、回動板及び側面側柱当接部を柱の角部の前面及び側面に当接させたまま丸鋸を柱に沿って上下に摺動させることで、丸鋸がぶれたりせず安定して摺動させることができ、鋸刃が摺動方向に対して傾くことがないので正確且つ円滑に切断作業を行うことができる。
（２）回動板を柱の前面に当接させる際に、回動板を柱の前面に押し当てることにより回動板を前面側当接部側に回動させ、摺動車部によりカバー回動用レール部を押圧し、押圧されたカバー回動用レール部と共に下部安全カバー部を後方へ回動させ、鋸刃の下部側をベース部の下面側に露出させることができ、手動で下部安全カバー部を回動させ鋸刃を露出させる操作が必要なく操作性に優れる。
【００１９】
ここで、回動板を前面側柱当接部の後端部で回動自在に固定する手段としては、ヒンジを用いてもよく、或いはネジで遊着してもよい。
また、一端部が下部安全カバー部に止着され他端部がモータ部等に止着されたコイルバネ等を設けることができる。これにより、切断時に回動板を柱の前面に押し付けることにより、下部安全カバー部を回動させ鋸刃の下部側を露出させることができ、切断後等に回動板を柱から離すと下部安全カバー部がコイルバネに付勢されて回動し鋸刃を覆うことができ、切断時にのみ自動で鋸刃が露出するので、作業性に優れると共に安全性に優れる。
【００２０】
本発明の請求項５に記載の丸鋸は、請求項１乃至４の内いずれか１項に記載の発明において、前記ベース部を前記台座部に対して位置決めするための位置決め手段を備え、前記位置決め手段が、前記台座部の下面に形成された前記鋸刃に平行の直線状凹部と、前記ベース部の上面に形成され前記直線状凹部に嵌合する位置決め凸部と、を備えた構成を有している。
【００２１】
この構成により、請求項１乃至４の内いずれか１項の作用に加え、以下のような作用を有する。
（１）台座部の下面の直線状凹部とベース部の上面の位置決め凸部からなる位置決め手段を備えているので、鋸刃挿通孔とベース側鋸刃挿通孔が連通するようにベース部を台座部の下面に正確に位置決めして固定することができる。
（２）また、位置決め手段により、側面側柱当接部と鋸刃の相対位置を正確に位置決めしてベース部を台座部に固定することができるので、胴縁を正確に所望とする長さに切断することができる。例えば、切断側面側柱当接部の柱当接面と鋸刃とが略同一平面上となるようにした場合は、胴縁を２本の柱間の距離と略同じ長さに切断することができる。また、側面側柱当接部の柱当接面が鋸刃より僅かに前面側柱当接部に近くなるように位置決めした場合は、胴縁を２本の柱間の距離より僅かに長く切断することができ、これにより、胴縁を柱間に押し込んで柱間に横架させ強固に固定することができる。
（３）台座部からベース部を取り外して丸鋸を使用する場合、台座部の下面に形成された直線状凹部を丸鋸用定規の丸鋸摺動直線状凸部に摺動自在に嵌合させることにより、丸鋸を丸鋸摺動直線状凸部に沿って直線状に摺動させコンクリートパネル等の被切断部材を直線状に切断することができる。
【００２２】
ここで、位置決め凸部としては、直線状凹部に対応する位置に形成されていれば、直線状であってもよく、直線上に並設された複数の凸部であってもよい。また、台座部とベース部の前後方向の位置決めをするために、台座部の下面及びベース部の上面の前端部や後端部等に前後方向の位置決め用の凹部及び凸部を設けてもよい。これにより、左右方向だけでなく前後方向にも正確に位置決めして、ベース部を台座部に固定することができ、切断位置のずれ等がなく正確に胴縁等の切断を行うことができる。
【００２３】
本発明の請求項６に記載の丸鋸用胴縁固定具は、２本の柱間に架設される胴縁を前記２本の柱間の長さで切断するための丸鋸用胴縁固定具であって、一方の前記柱の側部に脱着自在に固定される柱固定部と、前記柱固定部に一端部が固設された棒状の柱側支持部と、前記柱側支持部の他端部に接続板を介して所定角度で連設された胴縁側支持部と、を備えた構成を有している。
【００２４】
この構成により、以下のような作用を有する。
（１）一方の柱の側部に脱着自在に固定される柱固定部と、柱固定部に一端部が固設された棒状の柱側支持部と、柱側支持部の他端部に接続板を介して所定角度で連設された胴縁側支持部と、を備えているので、２本の柱間において、丸鋸用胴縁固定具の柱固定部をいずれか一方の柱の側面に突き刺して柱側支持部を柱に対して固定し、胴縁の一端部を他方の柱の側面に押し当てると共に、胴縁の上面を胴縁側支持部の下面に当接させ、重なった胴縁側支持部と胴縁を併せて手で握ることにより、胴縁を２本の柱間で水平に保持固定することができ、胴縁を柱間の長さに合わせて丸鋸で切断する作業を円滑且つ容易に行うことができる。
（２）柱側支持部と胴縁側支持部が接続板により接続されているので、柱側支持部に対する胴縁側支持部の角度を容易に変更でき、胴縁を水平に保持し易く切断作業を円滑に行うことができる。
【００２５】
ここで、柱側支持部及び胴縁側支持部としては、軽量の合成樹脂や木材、金属等により形成された棒状部材が用いられる。特に、胴縁側支持部としては、胴縁に重ねて両者を手で握ることができるような厚みや太さに形成することが好ましい。
接続板としては、合成樹脂板や板状の硬質ゴム等を用いることができる。なお、接続板は柱側支持部及び／又は胴縁側支持部に一体形成することもできる。
【００２６】
本発明の請求項７に記載の丸鋸用胴縁固定具は、請求項６に記載の発明において、前記胴縁側支持部の上部に配設された握り手保持部を備えた構成を有している。
【００２７】
この構成により、請求項６の作用に加え、以下のような作用を有する。
（１）握り手保持部により胴縁側支持部を握った手を保持できるので、握った手の指を広げても胴縁側支持部が手から離れず、意図せずに柱固定部が柱から外れた場合や柱固定部を柱から外して他の作業に移る場合等に丸鋸用胴縁固定具の脱落を防止できる。
（２）胴縁側支持部に握った手が保持固定されるので、胴縁側支持部の下部に併せて握る胴縁が握り易く作業性に優れる。
【００２８】
ここで、握り手保持部としては、布製やゴム製等のバンド等を用いることができる。
【００２９】
本発明の請求項８に記載の丸鋸用定規は、コンクリートパネル等の板状被切断部材を直線状に切断するための丸鋸用定規であって、前記板状被切断部材の上面に固定される定規固定板と、前記定規固定板の一側部に形成された定規スライド嵌合部と、前記定規スライド嵌合部に沿って摺動自在に配設された定規本体と、を備え、前記定規本体が、前記定規本体の一方の側部に形成され前記定規スライド嵌合部に摺動自在に嵌合する本体側被嵌合部と、前記定規本体の他方の側部に形成され請求項５に記載の丸鋸の前記直線状凹部が摺動自在に嵌合する丸鋸摺動直線状凸部と、を備えた構成を有している。
【００３０】
この構成により、以下のような作用を有する。
（１）台座部の下面に形成された直線状凹部を丸鋸用定規の丸鋸摺動直線状凸部に摺動自在に嵌合させることにより、丸鋸を丸鋸摺動直線状凸部に沿って案内し直線状に摺動させコンクリートパネル等の被切断部材を直線状に切断することができる。
（２）本体被嵌合部を定規スライド嵌合部に摺動自在に嵌合させ定規本体を定規固定板に対して摺動させることができるので、板状被切断部材の切断しようとする切断予定線の長さが定規本体より長い場合であっても、定規本体を定規固定板に対して摺動させ移動させることで対応でき、板状被切断部材の端部から離れた中央部近傍でも簡単且つ正確に切断できる。
【００３１】
本発明の請求項９に記載の丸鋸用定規は、請求項８に記載の発明において、前記定規固定板の前記定規本体側の側部に一端部がヒンジ部により水平方向に回動自在に固定された位置決め部材を備えた構成を有している。
【００３２】
この構成により、請求項８の作用に加え、以下のような作用を有する。
（１）定規固定板を板状被切断部材上に軽子等の止着部材等を用いて固定する位置を決定する際に、位置決め部材を回動させ定規本体に直交させ、位置決め部材の先端部を切断しようとする切断予定線に一致させることで定規固定板の固定位置を決定することができる。このとき位置決め部材は、その先端部が丸鋸の直線状凹部を丸鋸摺動直線状凸部に嵌合させた場合の鋸刃の位置と一致するような長さに形成され、これにより、鋸刃の位置が切断予定線に一致するため、板状被切断部材を切断予定線に沿って正確に切断できる。
（２）また、切断作業を行う場合は、位置決め部材を定規固定板に添う位置まで回動させることにより切断作業の邪魔にならず作業性に優れる。
【００３３】
本発明の請求項１０に記載の丸鋸用定規は、請求項８又は９に記載の発明において、前記定規固定板を前記板状被切断部材に軽子等の止着部材で止着するために前記定規固定板に穿設された２以上の止着孔を備えた構成を有している。
【００３４】
この構成により、請求項８又は９の作用に加え、以下のような作用を有する。
（１）定規固定板が２以上の止着孔を備えているので、止着孔に軽子等の止着部材を挿通させると共に被切断部材に突き刺して止着し定規固定板を固定でき、固定及び固定解除を簡単且つ迅速に行うことができる。
【発明の効果】
【００３５】
以上説明したように本発明の丸鋸及び丸鋸用胴縁固定具並びに丸鋸用定規によれば、以下のような有利な効果が得られる。
請求項１に記載の発明によれば、
（１）ベース部が台座部の下面に脱着自在に固定されているので、胴縁を切断する場合はベース固定手段によりベース部を台座部に取り付け、胴縁以外の被切断部材を切断する場合はベース部を台座部より取り外すことで、種々の被切断部材の切断に使用することができる応用性に優れた丸鋸を提供することができる。
（２）ベース部の下面のベース側鋸刃挿通孔の側部に固設された前面側柱当接部と、ベース側鋸刃挿通孔の後部に前面側柱当接部に直交して固設された側面側柱当接部と、を備えているので、前面側柱当接部及び側面側柱当接部を柱の角部の前面及び側面に当接させたまま丸鋸を柱に沿って上下に摺動させることで、丸鋸がぶれたりせず安定して摺動させることができ、鋸刃が摺動方向に対して傾くことがないので正確且つ円滑に切断作業を行うことができる安定性に優れた丸鋸を提供することができる。
（３）また、丸鋸を安定して摺動させることができるので、一方の手で胴縁を２本の柱間に水平に保持しながら、他方の手のみでハンドル部を把持し丸鋸を操作して胴縁の切断作業を熟練を要さず一人で安全に行うことができる取り扱い性に優れた丸鋸を提供することができる。
（４）前面側柱当接部を所定の厚みを有して形成することにより、前面側柱当接部を柱の前面に当接させた際に、ベース部の下面と柱の前面の間に前面側柱当接部の厚みだけ間隙を形成することができ、丸鋸を柱に沿って摺動させこの間隙に胴縁が挿入されることにより、胴縁をこの間隙内で回転する鋸刃により切断することができる丸鋸を提供することができる。
（５）側面側柱当接部が前面側柱当接部に対して直交してベース部に固設されているので、柱の角部に前面側柱当接部と側面側柱当接部を隙間なく当接させることができ、丸鋸がぶれることがない安定性に優れた丸鋸を提供することができる。
（６）側面側柱当接部の柱当接面が鋸刃と略同一平面上となるような位置に側面側柱当接部を設けることにより、胴縁を２本の柱間の距離と略同じ長さに切断することができ、また、側面側柱当接部の柱当接面が鋸刃より僅かに前面側柱当接部に近くなるような位置に側面側柱当接部を設けることにより、胴縁を２本の柱間の距離より僅かに長く切断することができる丸鋸を提供することができる。
（７）鋸刃挿通孔の前後部で台座部に軸着された上部安全カバー部と、上部安全カバー部の側部に配設固定されたモータ部と、モータ部の駆動軸に固定され上部側が前記上部安全カバー部の内部に配設され下部側が鋸刃挿通孔に挿通された円形の鋸刃と、を備えているので、上部安全カバー部を台座部に対して回動させ、モータ部及び鋸刃の台座部に対する角度を可変でき、鋸刃の切り込み角度を調節することができ、鋸刃の切り込み角度を調節することにより、胴縁の切断面に所定角度の傾斜をつけることができ、胴縁が柱間の距離より僅かに長い場合であっても胴縁を柱間に容易に且つ強固に横架させることができる丸鋸を提供することができる。
（８）鋸刃の上部側が上部安全カバー部の内部に配設されているので、鋸刃が作業者側に露出しない安全性に優れた丸鋸を提供することができる。
【００３６】
請求項２に記載の発明によれば、請求項１の効果に加え、
（１）上部安全カバー部を台座部に対して回動させ、モータ部及び鋸刃の台座部に対する角度を可変でき、鋸刃の切り込み角度を調節することができると共に、鋸刃の切り込み角度を可変した後、角度固定ネジをスライド孔部に挿通し可動部に螺着し、角度調節板と可動部を締め付け固定することにより、上部安全カバー部及びモータ部を台座部に対して固定することで、鋸刃を所望の切り込み角度で固定することができる丸鋸を提供することができる。
【００３７】
請求項３に記載の発明によれば、請求項１又は２の効果に加え、
（１）前面側柱当接部の厚みが胴縁等の被切断部材の厚みより大きく形成されているので、前面側柱当接部を柱の前面に当接させた際に、ベース部の下面と柱の前面の間に前面側柱当接部の厚み、すなわち胴縁等の被切断部材の厚みより大きい間隙を形成することができ、丸鋸を柱に沿って摺動させた際に、この間隙に胴縁が確実に挿入され、胴縁をこの間隙内で回転する鋸刃により切断することができる丸鋸を提供することができる。
【００３８】
請求項４に記載の発明によれば、請求項１乃至３の内いずれか１項の効果に加え、
（１）前面側柱当接部の下面の沿って配設された回動板を備えているので、回動板及び側面側柱当接部を柱の角部の前面及び側面に当接させたまま丸鋸を柱に沿って上下に摺動させることで、丸鋸がぶれたりせず安定して摺動させることができ、鋸刃が摺動方向に対して傾くことがないので正確且つ円滑に切断作業を行うことができる丸鋸を提供することができる。
（２）回動板を柱の前面に当接させる際に、回動板を柱の前面に押し当てることにより回動板を前面側当接部側に回動させ、摺動車部によりカバー回動用レール部を押圧し、押圧されたカバー回動用レール部と共に下部安全カバー部を後方へ回動させ、鋸刃の下部側をベース部の下面側に露出させることができ、手動で下部安全カバー部を回動させ鋸刃を露出させる操作が必要ない操作性に優れた丸鋸を提供することができる。
【００３９】
請求項５に記載の発明によれば、請求項１乃至４の内いずれか１項の効果に加え、
（１）台座部の下面の直線状凹部とベース部の上面の位置決め凸部からなる位置決め手段を備えているので、鋸刃挿通孔とベース側鋸刃挿通孔が連通するようにベース部を台座部の下面に正確に位置決めして固定することができ、また、位置決め手段により、側面側柱当接部と鋸刃の相対位置を正確に位置決めしてベース部を台座部に固定することができるので、胴縁を正確に所望とする長さに切断することができる丸鋸を提供することができる。
（２）台座部からベース部を取り外して丸鋸を使用する場合、台座部の下面に形成された直線状凹部を丸鋸用定規の丸鋸摺動直線状凸部に摺動自在に嵌合させることにより、丸鋸を丸鋸摺動直線状凸部に沿って直線状に摺動させコンクリートパネル等の被切断部材を直線状に切断することができる丸鋸を提供することができる。
【００４０】
請求項６に記載の発明によれば、
（１）一方の柱の側部に脱着自在に固定される柱固定部と、柱固定部に一端部が固設された棒状の柱側支持部と、柱側支持部の他端部に接続板を介して所定角度で連設された胴縁側支持部と、を備えているので、２本の柱間において、丸鋸用胴縁固定具の柱固定部をいずれか一方の柱の側面に突き刺して柱側支持部を柱に対して固定し、胴縁の一端部を他方の柱の側面に押し当てると共に、胴縁の上面を胴縁側支持部の下面に当接させ、重なった胴縁側支持部と胴縁を併せて手で握ることにより、胴縁を２本の柱間で水平に保持固定することができ、胴縁を柱間の長さに合わせて丸鋸で切断する作業を円滑且つ容易に行うことができる丸鋸用胴縁固定具を提供することができる。
（２）柱側支持部と胴縁側支持部が接続板により接続されているので、柱側支持部に対する胴縁側支持部の角度を容易に変更でき、胴縁を水平に保持し易く切断作業を円滑に行うことができる丸鋸用胴縁固定具を提供することができる。
【００４１】
請求項７に記載の発明によれば、請求項６の効果に加え、
（１）握り手保持部により胴縁側支持部を握った手を保持できるので、握った手の指を広げても胴縁側支持部が手から離れず、意図せずに柱固定部が柱から外れた場合や柱固定部を柱から外して他の作業に移る場合等に丸鋸用胴縁固定具の脱落を防止できる使用性に優れた丸鋸用胴縁固定具を提供することができる。
（２）胴縁側支持部に握った手が保持固定されるので、胴縁側支持部の下部に併せて握る胴縁が握り易い作業性に優れた丸鋸用胴縁固定具を提供することができる。
【００４２】
請求項８に記載の発明によれば、
（１）台座部の下面に形成された直線状凹部を丸鋸用定規の丸鋸摺動直線状凸部に摺動自在に嵌合させることにより、丸鋸を丸鋸摺動直線状凸部に沿って案内し直線状に摺動させコンクリートパネル等の被切断部材を直線状に切断することができる丸鋸用定規を提供することができる。
（２）本体被嵌合部を定規スライド嵌合部に摺動自在に嵌合させ定規本体を定規固定板に対して摺動させることができるので、板状被切断部材の切断しようとする切断予定線の長さが定規本体より長い場合であっても、定規本体を定規固定板に対して摺動させ移動させることで対応でき、板状被切断部材の端部から離れた中央部近傍でも簡単且つ正確に切断できる丸鋸用定規を提供することができる。
【００４３】
請求項９に記載の発明によれば、請求項８の効果に加え、
（１）定規固定板を板状被切断部材上に軽子等の止着部材等を用いて固定する位置を決定する際に、位置決め部材を回動させ定規本体に直交させ、位置決め部材の先端部を切断しようとする切断予定線に一致させることで定規固定板の固定位置を決定することができる位置決めが容易な丸鋸用定規を提供することができる。
（２）切断作業を行う場合は、位置決め部材を定規固定板に添う位置まで回動させることにより切断作業の邪魔にならず作業性に優れた丸鋸用定規を提供することができる。
【００４４】
請求項１０に記載の発明によれば、請求項８又は９の効果に加え、
（１）定規固定板が２以上の止着孔を備えているので、止着孔に軽子等の止着部材を挿通させると共に被切断部材に突き刺して止着し定規固定板を固定でき、固定及び固定解除を簡単且つ迅速に行うことができる作業性に優れた丸鋸用定規を提供することができる。
【発明を実施するための最良の形態】
【００４５】
以下、本発明の一実施の形態について、図１乃至図５を用いて説明する。
（実施の形態１）
図１は本実施の形態１における丸鋸の要部左側面図であり、図２は本実施の形態１における丸鋸の要部右側面図であり、図３は本実施の形態１における丸鋸の要部平面図であり、図４は本実施の形態１における丸鋸の要部正面図である。
図中、１は本実施の形態１における丸鋸、２は矩形平板状の台座部、３は台座部２に穿設された長孔状の鋸刃挿通孔、４は台座部２の上面の鋸刃挿通孔３の側部に配設されたモータ部である。なお、モータ部４は後述の上部安全カバー部６の側部に固定され、上部安全カバー部６は鋸刃挿通孔３の上部で台座部２に軸着固定されている。４ａはモータ部４の駆動軸、４ｂはモータ部４の上部に固設されたハンドル部、４ｃはハンドル部４ｂの前端部に配設されたモータ駆動用のスイッチ、５はモータ部４の駆動軸４ａに固定され下部側が鋸刃挿通孔３に挿通された円形の鋸刃、６はモータ部４の側部に固定され鋸刃５の上部に覆設された半円形状の上部安全カバー部、７ａ，７ｂは上部安全カバー部６の前後端部と台座部２とを鋸刃挿通孔３の前後で軸着する前部軸着部及び後部軸着部、８は前部軸着部７ａ及び後部軸着部７ｂを中心として鋸刃５の切り込み角度を所定角度に可変すると共に固定する切り込み角度調節部、９は上部安全カバー部６の前端部に一体的に固定された板状の可動部、９ａは可動部９に一体形成され正面に角度目盛りが付けられた分度板状の目盛り板、１０は台座部２の前端部に立設固定され可動部９及び目盛り板９ａの前部に沿設された角度調節板、１１は角度調節板１０に穿設された円弧状のスライド孔部（図４参照）、１２はスライド孔部１１に摺動自在に挿通されると共に可動部９に螺着され角度調節板１０と可動部９を締め付け固定する角度固定ネジである。ここで、ハンドル部４ｂとモータ部４との間の持ち手を挿入する空間は、持ち手の中指、薬指、小指が入る程度の長孔状に形成され、ハンドル部４ｂのモータ部４の上面からの高さはできるだけ低く形成されることが好ましい。これにより、ハンドル部４ｂを丸鋸１の重心に近い位置、すなわちモータ部４に近い位置に設けることで、丸鋸１をハンドル部４ｂで持ち上げて操作する際の安定性を高めることができる。また、スイッチ４ｃは、ハンドル部４ｂを持ち手の中指、薬指、小指で握った場合に人差し指で押圧操作できるように、ハンドル部４ｂの前方に設けられている。ハンドル部４ｂの高さを低く形成すると、ハンドル部４ｂの内側にスイッチを設けることができない場合があるが、スイッチ４ｃをハンドル部４ｂの前方や上面に設けることによりスイッチ４ｃを押圧操作することができる。
【００４６】
また、図中、１３は台座部２の下面に沿って脱着自在に固定された平板状のベース部、１４はベース部１３を台座部２に螺着固定するベース固定手段としての蝶ネジ、１５はベース部１３に鋸刃挿通孔３に連通して穿設された長孔状のベース側鋸刃挿通孔、１６はベース部１３の下面のベース側鋸刃挿通孔１５の側部後方に固設された前面側柱当接部、１７はベース側鋸刃挿通孔１５の後部に前面側柱当接部１６に直交して固設された側面側柱当接部、１８は鋸刃５の下部に覆設され鋸刃５の周囲に回動自在に配設された下部安全カバー部である。なお、下部安全カバー部１８は鋸刃５の周囲において回動して上部安全カバー部６の内部に収納されるように配設されている。１９は下部安全カバー部１８の前面側柱当接部１６側の側部に突設されたカバー回動用レール部、２０は前面側柱当接部１６の下面に沿って配設された回動板、２１は前面側柱当接部の後端部で回動板２０を回動自在に固定する回動板遊着部、２２は回動板２０と前面側柱当接部１６の間に挿設された板バネやゴム材等からなる弾性部材、２３は回動板２０の先端部上面に取り付けられ回動板２０の回動によりカバー回動用レール部１９を押圧する摺動車部、２４は台座部２の下面の両側部に形成された直線状凹部（図４参照）、２５はベース部１３の上面に形成され直線状凹部２４に嵌合する直線状の位置決め凸部である。
【００４７】
図５はベース部を取り外した状態の台座部の下面を示す要部平面図である。なお、鋸刃５、下部安全カバー部１８は説明をわかり易くするために省略している。
図５において、３１は台座部２の下面の前端部に形成された前後方向の位置決め用の凹部、３２はベース固定手段としての蝶ネジ１４が螺着される台座側螺着孔である。
ここで、凹部３１はベース部１３の上面の前端部に突設された凸部（図示せず）に嵌合する。これにより、台座部２に対するベース部１３の前後方向の位置決めをすることができる。
【００４８】
次に、丸鋸用胴縁固定具について説明する。
図６（ａ）は丸鋸による胴縁の切断に用いる丸鋸用胴縁固定具の要部正面図であり、図６（ｂ）は丸鋸用胴縁固定具の使用状態図である。
図中、４１は丸鋸用胴縁固定具、４２は柱１０１の側部に脱着自在に固定された針山状や平板状に形成された柱固定部、４２ａは柱固定部４２に植設された針状部、４３は柱固定部４２に一端部が固設された棒状の柱側支持部、４４は柱側支持部４３の他端部に板バネや硬質ゴム板、軟質合成樹脂板等の接続板４５を介して連設された胴縁側支持部、４６は胴縁側支持部４４の上部に配設されたバンド状の握り手保持部、４７は握り手保持部４６の一端部を胴縁側支持部４４に止着する面ファスナーである。ここで、柱側支持部４３、胴縁側支持部４４、及び接続板４５は軟質合成樹脂板で一体に形成することもできる。
なお、１００，１０１は柱、１０２は胴縁、１０２ａは胴縁１０２の一端部、１０３は作業者の左手であり、これらは図１０において説明したものと同様のものであるので同一の符号を付けて説明を省略する。
【００４９】
以上のように構成された丸鋸用胴縁固定具４１について、以下その使用方法を説明する。
まず、柱固定部４２の針状部４２ａを柱１０１の柱１００側の側面に突き刺して柱固定部４２を下方に傾いた姿勢で柱１０１に固定する。次に胴縁側支持部４４を左手１０３で握り、さらに面ファスナー４７を止着して左手１０３で握り手保持部４６を保持する。続いて、胴縁１０２の一端部１０２ａを柱１００の側面に押し当て、胴縁の他端部側を柱１０１の手前側の側面１０１ａに当接させると共に、胴縁１０２の上面を胴縁側支持部４４の下面に当接させ、重なった胴縁側支持部４４と胴縁１０２を左手１０３で握る。胴縁１０２を左手１０３で握る位置は、胴縁１０２が水平になるような位置に適宜決定される。これにより、胴縁１０２を柱１００，１０１間に水平に保持することができる。
【００５０】
次に、丸鋸１による胴縁１０２の切断動作について図７及び図８を用いて説明する。
図７は胴縁の切断動作を示す要部側面図であり、図８（ａ）は胴縁の切断動作を示す要部平面図であり、図８（ｂ）は鋸刃の切り込み角度を傾けた場合の胴縁の切断動作を示す要部平面図である。
図７及び図８に示すように、右手１０４で丸鋸１のハンドル部４ｂを把持し、胴縁１０２の下方位置において、柱１０１に対して回動板２０を柱１０１の手前側の側面１０１ａに当接させると共に、丸鋸１の側面側柱当接部１７の側面を柱１０１の柱１００側の側面１０１ｂに当接させる。さらに、回動板２０を柱１０１の側面１０１ａに押圧し、回動板２０を前面側当接部１６側に回動させる。この回動に伴い摺動車部２３はカバー回動用レール部１９を押圧し、押圧されたカバー回動用レール部２３と共に下部安全カバー部１８は鋸刃５の外周を後方へ回動して鋸刃５の下部側が露出する。
この状態で、スイッチ４ｃを右手１０４の人差し指で押してモータ部４を駆動し鋸刃５を回転させながら、丸鋸１を柱１０１に沿って上方へ摺動させると、露出した鋸刃５により胴縁１０２を切断することができる。ここで、前面側柱当接部１６の前端部の厚みは胴縁１０２の厚みより大きく形成されているので、ベース部１３の下面と柱１０１の側面１０１ａとの間に胴縁１０２が挿入される空間が形成される。胴縁１０２はその空間内で鋸刃５により切断される。また、鋸刃５は側面側柱当接部１７の側面と同一面状となるように配設されているので、胴縁１０２は柱１０１の側面１０１ｂの位置で柱１００，１０１間の距離と同一の長さに切断される。
ここで、図８（ｂ）に示すように、切り込み角度調節部８により鋸刃５の切り込み角度を傾け、胴縁１０２を斜めに切断して傾斜した切断面を形成することもできる。
切り込み角度調節部８により鋸刃５の切り込み角度を傾ける場合は、図８（ｂ）に示すように、まず、角度固定ネジ１２を緩め、モータ部４を台座部２に対して傾ける。モータ部４は上部安全カバー部６に固定され、上部安全カバー部６は前部軸着部７ａと後部軸着部７ｂにより台座部２に軸着されているので（図１及び図２参照）、モータ部４は前部軸着部７ａ及び後部軸着部７ｂを中心として回動し、それに伴って鋸刃５は台座部２に対して傾斜する。このとき、鋸刃５の傾斜角度αは柱１０１の側面１０１ｂに対して６°〜７°とすることが好ましい。なお、鋸刃５の傾斜角度αは、目盛り板９ａ上の角度目盛りにおいて、角度調節板１０の端辺１０ａが示す角度が切り込み角度を示すので、目視して確認しながら設定することができる。所望の切り込み角度を設定した後、角度固定ネジ１２を締めて角度調節板１０と可動部９を締め付け固定することで、鋸刃５の角度が固定される。なお、上部安全カバー部６を台座部２に対して所定角度で前部軸着部７ａ及び後部軸着部７ｂにより軸着固定し、鋸刃５の角度を所望の切り込み角度で固定することもできる。
このように鋸刃５の切り込み角度を傾斜させ、上述したように胴縁１０２を切断することにより、胴縁１０２の切断面を傾斜面とすることができ、胴縁１０２を柱１００，１０１間に挟ませ易く、且つ挟ませて強固に固定することができる。
【００５１】
以上のように本実施の形態１における丸鋸１及び丸鋸用胴縁固定具４１は構成されているので、以下のような作用を有する。
（１）胴縁１０２を２本の柱１００，１０１間の距離と同じか僅かに長く調節するために切断する場合、まず、丸鋸用胴縁固定具４１の柱固定部４２を柱１０１の側面１０１ｂに固定し柱側支持部４３を下方に傾いた姿勢で柱１０１に固定し、胴縁１０２の一端部１０２ａを柱１００の側面に押し当て、胴縁１０２の上面を胴縁側支持部４４の下面に当接させ、重なった胴縁側支持部４４と胴縁１０２を左手１０３で握る。これにより、胴縁１０２を柱１００，１０１間に水平に保持することができる。また、柱側支持部４３と胴縁側支持部４４が屈曲可能な接続板４５により接続されているので、柱側支持部４３に対する胴縁側支持部４４の角度を容易に変更でき、胴縁１０２を水平に保持し易く切断作業を円滑に行うことができる。また、握り手保持部４６により胴縁側支持部４４を握った左手１０３を保持できるので、左手１０３の指を広げても胴縁側支持部４４が左手１０３から離れず丸鋸用胴縁固定具４１の脱落を防止できる。
（２）次に、胴縁１０２の他端部側の側面を柱１０１の手前側の側面１０１ａに当接させ、柱１０１の胴縁当接部分の下方位置において、柱１０１の各側面１０１ａ，１０１ｂに丸鋸１の回動板２０と側面側柱当接部１７を当接させ、丸鋸１を柱１０１に沿って上方へ摺動させ、回転する鋸刃５により胴縁１０２を切断する。これにより、胴縁を２本の柱間の距離と同一の長さに切断することができる。丸鋸１の回動板２０と側面側柱当接部１７を柱１０１に当接させ、丸鋸１を柱１０１に沿って上方へ摺動させるだけで胴縁１０２を切断することができるので、熟練を要さず円滑且つ安全に柱間と同一長さの胴縁の切断作業を行うことができる。また、左手１０３で胴縁１０２を２本の柱１００，１０１間に水平に保持しながら、右手１０４で丸鋸１を操作して胴縁１０２の切断作業を一人で行うことができる。
（３）回動板２０を柱１０１に押し付けて回動板２０を前面側当接部１６側に回動させることにより、摺動車部２３でカバー回動用レール部１９を押圧し、カバー回動用レール部１９と共に下部安全カバー部１８を後方へ回動させ、鋸刃５をベース部１３の下面と柱１０１の側面１０１ａとの間の空間において露出させることができる。このように、回動板２０を柱１０１に押し付けることにより鋸刃５が露出し、回動板２０を柱１０１から離すと下部安全カバー部１８が鋸刃５を覆うことで、切断時にのみ自動で鋸刃５が露出するので、作業性に優れると共に安全性に優れる。
（４）ベース部１３が台座部２に蝶ネジ（ベース固定手段）１４により脱着自在に固定されているので、台座部２からベース部１３を取り外すことができ、台座部２の下面を被切断部材に当接させて鋸刃５により種々の被切断部材を切断するといった通常の丸鋸としての使用も可能で、胴縁１０２以外の被切断部材の切断にも用いることができる。
（５）角度調節ネジ１２を緩めることにより、前部軸着部７ａ及び後部軸着部７ｂを中心として上部安全カバー部６に固定されたモータ部４及びモータ部４と一体の鋸刃５を台座部２に対して回動させることができ、鋸刃５を所望の切り込み角度に調節することができ、切り込み角度調節部８において角度調節ネジ１２を締めることにより所望の角度で固定することができる。鋸刃５の切り込み角度を調節することにより、胴縁１０２の切断面に所定角度の傾斜をつけることができ、胴縁１０２が柱間の距離より僅かに長い場合であっても胴縁１０２を柱１００，１０１間に容易に且つ強固に横架させることができる。
（６）台座部２の下面の直線状凹部２４及び凹部３１とベース部１３の上面の位置決め凸部２５と凸部（図示せず）からなる位置決め手段を備えているので、鋸刃挿通孔３とベース側鋸刃挿通孔１５が連通するようにベース部１３を台座部２の下面に正確に位置決めして固定することができる。
【００５２】
（実施の形態２）
図９（ａ）は本実施の形態２における丸鋸用定規の要部平面図であり、図９（ｂ）は本実施の形態２における丸鋸用定規の要部側面図である。
図９において、５１は本実施の形態２における丸鋸用定規、５２はコンクリートパネル等の板状被切断部材Ｘの上面に固定される定規固定板、５３は定規固定板５２の一側部に形成された断面Ｔ字形凹状の定規スライド嵌合部、５４は一方の側部に定規スライド嵌合部５３に摺動自在に嵌合する断面Ｔ字形凸状の本体側被嵌合部５４ａを有する定規本体、５５は定規スライド嵌合部５３の側部から定規本体５４の上面側に延設された本体固定部、５６は本体固定部５５に螺着され定規本体５４を締め付け固定する本体固定ネジ、５７は定規本体５４の他方の側部に形成され丸鋸１の直線状凹部が摺動自在に嵌合する丸鋸摺動直線状凸部、５８は定規固定板５２に穿設された止着孔、５８ａは定規固定板５２を板状被切断部材Ｘに止着孔５８で止着固定するための軽子等の止着部材、５９は本体固定部５５の側部に固定されたヒンジ部、６０は一端部がヒンジ部５９に固定され水平方向に回動自在に配設された位置決め部材、６０ａは位置決め部材６０を本体固定部５５に添わした状態で固定する位置決め部材固定部である。なお、図９（ｂ）において、１は丸鋸、２は台座部、４はモータ部、４ｂはハンドル部、５は鋸刃、６は上部安全カバー部、２４は直線状凹部であり、これらは実施の形態１において説明したものと同様のものであるので同一の符号を付けて説明を省略する。
【００５３】
以上のように構成された本実施の形態２における丸鋸用定規について、以下その使用方法を図を用いて説明する。
図９に示すように、まず、位置決め部材６０を回動させ定規本体５４の長さ方向と直交するように配置し、位置決め部材６０の先端部が切断しようとする切断予定線Ｙと一致するように定規固定板５２を板状被切断部材Ｘに固定する。定規固定板５２を固定するには、図９（ｂ）に示すように、止着孔５８に止着部材５８ａを挿通させると共に板状被切断部材Ｘに突き刺して止着固定する。なお、位置決め部材６０の長さは、丸鋸１の台座部２の直線状凹部２４を定規本体５４の丸鋸摺動直線状凸部５７に嵌合させた際に、位置決め部材６０の先端部が鋸刃５の位置に一致する長さに予め設定されている。
次に、定規本体５４の本体側被嵌合部５４ａを定規スライド嵌合部５３に摺動自在に嵌合させ、定規本体５４を定規固定板５２に対してスライドさせて所定の位置で本体固定ネジ５６を締め付けて固定する。ここで、板状被切断部材Ｘをその端辺から切断する場合は、定規本体５４の一端部が板状被切断部材Ｘの端辺から突出するように配置固定することが好ましい。次に、位置決め部材６０を定規固定板５２に添う位置まで回動させ位置決め部材固定部６０ａで固定する。続いて、丸鋸１の台座部２の下面の側部に形成された直線状凹部２４を定規本体５４の一端部の丸鋸摺動直線状凸部５７に嵌合させる。このとき、位置決め部材６０の長さが鋸刃５と切断予定線Ｙが一致するよう予め設定されているため、鋸刃５の位置は切断予定線Ｙと一致する。また、直線状凹部２４は、直線状凹部２４を丸鋸摺動直線状凸部５７に嵌合させた際に台座部２の下面と定規本体５４の下面とが面一となるように形成されている。これにより、丸鋸１は、台座部２の下面の全面が板状被切断部材Ｘの上面に当接するため丸鋸１を安定させることができる。この状態で丸鋸１のハンドル部４ｂを握り、丸鋸１を丸鋸摺動直線状凸部５７に沿って切断方向に摺動させることにより、板状被切断部材Ｘを切断予定線Ｙに沿って直線状に切断することができる。
【００５４】
以上のように本実施の形態２における丸鋸用定規５１は構成されているので、以下のような作用を有する。
（１）本体側被嵌合部５４ａを定規スライド嵌合部５３に摺動自在に嵌合させ定規本体５４を定規固定板５２に対してスライドさせることができるので、切断予定線Ｙの長さが定規本体５４より長い場合であっても定規本体５４を切断予定線Ｙの長さ方向に移動させることで対応でき、板状被切断部材Ｘの端部から離れた中央部近傍でも簡単且つ正確に切断できる。また、本体側被嵌合部５４ａが断面Ｔ字形凸状に形成され、定規スライド嵌合部５３がそれに対応した断面Ｔ字形凹状に形成されているので、定規固定板５２から定規本体５４が外れ難く、切断作業時や定規固定板５２と定規本体５２の位置を移動させる場合であっても、定規固定板５２と定規本体５４が一体なので取り扱い易い。
（２）定規本体５４の側部に丸鋸摺動直線状凸部５７が形成されているので、丸鋸摺動直線状凸部５７に丸鋸１の直線状凹部２４を嵌合させ、丸鋸１を直線状に案内して摺動させることができ、板状被切断部材Ｘを正確に直線状に切断できる。
（３）定規固定板５２に複数の止着孔５８が穿設されているので、定規固定板５２を板状被切断部材Ｘの上面に止着部材５８ａにより止着固定することができる。また、定規固定板５２のスライド嵌合部５３の側部から定規本体５４の上面側に延設された本体固定部５５と、本体固定部５５に螺着され定規本体５４を締め付け固定する本体固定ネジ５６と、を備えているので、定規本体５４を定規固定板５２に対してスライドさせて所定の位置で本体固定ネジ５６を締め付けて固定することができ、定規本体５４の位置が板状被切断部材Ｘ上においてずれることなく、丸鋸摺動直線状凸部５７に沿って丸鋸１を直線状に摺動させ板状被切断部材Ｘを切断する作業を円滑に行うことができる。
（４）定規固定板５２を板状被切断部材Ｘの上面に止着部材５８ａにより止着固定する際に、位置決め部材６０の先端部が切断予定線Ｙと一致するように定規固定板５２を固定することで、定規固定板５２及び定規本体５４を正確に位置決めして固定でき、丸鋸１により切断予定線Ｙに沿って正確に切断できる。また、丸鋸１により切断を行う際には、位置決め部材６０を定規固定板５２に添う位置まで回動させ位置決め部材固定部６０ａで固定することにより切断作業の邪魔にならず作業性に優れる。
【産業上の利用可能性】
【００５５】
以上説明したように、本発明は、円形の鋸刃をモータで回転させて被切断部材を切断する丸鋸に関し、特に本発明によれば、胴縁の長さを２本の柱間の長さに合わせるための切断作業を容易に行うことができ、且つ、切断位置で正確に切断でき切断面に所望の傾斜をつけることができると共に、丸鋸用定規に沿ってずれることなく摺動させ板状被切断部材を容易に直線状に切断することができる丸鋸を提供することができる。
以上説明したように、本発明は、丸鋸により胴縁等の被切断部材を切断するために丸鋸と共に用いられる丸鋸用胴縁固定具に関し、特に本発明によれば、胴縁を２本の柱間で確実に保持することができ、胴縁を柱間の長さに合わせて丸鋸で切断する作業を円滑且つ容易に行うことができる丸鋸用胴縁固定具を提供することができる。
以上説明したように、本発明は、丸鋸によりコンクリートパネル等の板状被切断部材を切断するための丸鋸用定規に関し、特に本発明によれば、丸鋸を安定して且つ正確に案内することができ、板状被切断部材を容易に直線状に切断することができると共に、板状被切断部材の端部から離れた中央部近傍でも簡単且つ正確に切断できる丸鋸用定規を提供することができる。
【図面の簡単な説明】
【００５６】
【図１】実施の形態１における丸鋸の要部左側面図
【図２】実施の形態１における丸鋸の要部右側面図
【図３】実施の形態１における丸鋸の要部平面図
【図４】実施の形態１における丸鋸の要部正面図
【図５】台座部の底面を示す要部平面図
【図６】（ａ）丸鋸による胴縁の切断に用いる丸鋸用胴縁固定具の要部正面図  （ｂ）丸鋸用胴縁固定具の使用状態図
【図７】胴縁の切断動作を示す要部側面図
【図８】（ａ）胴縁の切断動作を示す要部平面図  （ｂ）鋸刃の切り込み角度を傾けた場合の胴縁の切断動作
【図９】（ａ）実施の形態２における丸鋸用定規の要部平面図  （ｂ）実施の形態２における丸鋸用定規の要部側面図
【図１０】（ａ）従来の胴縁の切断方法を示す要部正面図  （ｂ）従来の胴縁の切断方法を示す要部平面図
【符号の説明】
【００５７】
１  丸鋸
２  台座部
３  鋸刃挿通孔
４  モータ部
４ａ  駆動軸
４ｂ  ハンドル部
４ｃ  スイッチ
５  鋸刃
６  上部安全カバー部
７ａ  前部軸着部
７ｂ  後部軸着部
８  切り込み角度調節部
９  可動部
９ａ  目盛り板
１０  角度調節板
１０ａ  端辺
１１  スライド孔部
１２  角度固定ネジ
１３  ベース部
１４  蝶ネジ（ベース固定手段）
１５  ベース側鋸刃挿通孔
１６  前面側柱当接部
１７  側面側柱当接部
１８  下部安全カバー部
１９  カバー回動用レール部
２０  回動板
２１  回動板遊着部
２２  弾性部材
２３  摺動車部
２４  直線状凹部
２５  位置決め凸部
３１  凹部
３２  台座側螺着孔
４１  丸鋸用胴縁固定具
４２  柱固定部
４２ａ  針状部
４３  柱側支持部
４４  胴縁側支持部
４５  接続板
４６  握り手保持部
４７  面ファスナー
５１  丸鋸用定規
５２  定規固定板
５３  定規スライド嵌合部
５４  定規本体
５４ａ  本体側被嵌合部
５５  本体固定部
５６  本体固定ネジ
５７  丸鋸摺動直線状凸部
５８  止着孔
５８ａ  止着部材
５９  ヒンジ部
６０  位置決め部材
６０ａ  位置決め部材固定部
１００，１０１  柱
１０１ａ，１０１ｂ  側面
１０２  胴縁
１０２ａ  一端部
１０３  左手
１０４  右手
１０５  手引き鋸
Ｘ  板状被切断部材
Ｙ  切断予定線
【図１】
2005186544.tif 000003
【図２】
2005186544.tif 000004
【図３】
2005186544.tif 000005
【図４】
2005186544.tif 000006
【図５】
2005186544.tif 000007
【図６】
2005186544.tif 000008
【図７】
2005186544.tif 000009
【図８】
2005186544.tif 000010
【図９】
2005186544.tif 000011
【図１０】
2005186544.tif 000012